(57)【要約】【課題】複雑な曲面を形成する睫毛に対してマスカラ等を簡易且つ正確に塗布できるように複数の塗布部を有する塗布具を安価に、しかも簡易且つ確実に製造できるようにする。【解決手段】軸部１１と、該軸部１１の軸本体部１３に保持される柱状の第１塗布部であるブラシ１６とから構成され、該軸部１１をなす先端部１２と軸本体部１３とを折曲自在のヒンジ１４を介して一体に形成するとともに、該先端部１２に第２塗布部である櫛１９を一体に形成するものであるので、複雑な曲面をなす睫毛に対して簡易且つ正確にマスカラ等を塗布するとともに、部品定数を削減することで作業効率を向上させて、安価に、しかも簡易且つ確実に製造することができるものである。【選択図】図２
2014083105.tif 000002
【特許請求の範囲】
【請求項１】
軸部と、該軸部に保持される第１塗布部とから構成され、
該軸部は、先端部と軸本体部とからなるものであって、該先端部と軸本体部とは折曲自在となるヒンジ部を介して一体に形成され、
該軸本体部は、先端面より軸方向に沿い、軸本体部横断面方向に凹陥する切り欠き部を形成し、
該先端部の端面と、該軸本体部の切り欠き部内における該先端部の端面と対向する端面とによって保持部を形成し、
該第１塗布部を保持部内に保持するものであって、
該軸部の先端部において第２塗布部を一体に形成する
ことを特徴とする塗布具。
【請求項２】
上記軸部の先端部において一体に形成する第２塗布部を、複数の櫛歯からなる櫛、複数の突起からなるブラシ、又は静電植毛処理による植毛部としてなる請求項１記載の塗布具。
【発明の詳細な説明】
【技術分野】
【０００１】
本願発明は、マスカラや睫毛美容液等（以下、「マスカラ等」という。）を塗布する塗布具に関する。
【背景技術】
【０００２】
従来、マスカラ等を塗布する塗布具は、折曲した金属線間に繊維を挟持するとともに、該金属線を巻回することで、巻回した金属線を中心に繊維を放射螺旋状に配置した円柱状のブラシとするものが一般的である。
【０００３】
ところで、マスカラ等を塗布することとなる睫毛は、睫毛自体の形状が湾曲している上、目頭から目尻にかけて配置される睫毛は複雑な曲面を形成しているものである。その結果、上記円柱状のブラシは該ブラシの繊維が長さ、密度及び間隔において均一であるので、上記複雑な曲面をなす睫毛に対して確実に密着させてマスカラ等を正確に塗布することができず、さらに修正等を目的としたマスカラ等の部分的な塗布は、たとえ円柱状のブラシの上下周縁を利用しても正確に行うことができないものである。
【０００４】
そこで、複雑な曲面をなす睫毛に対して正確に密着して確実に塗布し、さらに修正やマスカラ等の塗布量を違えるための部分的な塗布を簡易且つ確実に行えるように、軸部により保持されたブラシ部の先端側に櫛歯部を有するコーム部が設けられてなるマスカラ塗布具（特許文献１参照）、又は芯軸とブラシ毛を備えたブラシ本体の該芯軸の先端に、複数個の櫛歯と連結ボスを具える櫛ピースを該連結ボスを介して装着固定してなるマスカラブラシ（特許文献２参照）が提案されている。
【０００５】
そして、上記マスカラ塗布具又はマスカラブラシでは、ブラシ部やブラシ本体に対して設けられ、又は装着固定してなるコーム部又は櫛ピースによって複雑な曲面を形成する睫毛に対して部分的な塗布を正確に行うことができるものである。
【０００６】
しかしながら、ブラシ部やブラシ本体に対して設けられ、又は装着固定してなるコーム部又は櫛ピースにより部品点数が増加するものとなる。その結果、増加した部品の部品管理が必要になるとともに、製造工程の増加によって製造作業の作業効率は著しく低下してしまうので、その製造コストは上昇する恐れがある。
【０００７】
さらに、ブラシ部やブラシ本体に対して設けられ、又は装着固定してなるコーム部又は櫛ピースにおいて精度にバラツキが生じると、該コーム部又は櫛ピースに対して僅かな引張力が加わっただけで脱落する恐れもある。
【先行技術文献】
【特許文献】
【０００８】
【特許文献１】特開２００８−２２０７４２号公報
【特許文献２】特開２００９−２５４３９５号公報
【発明の概要】
【発明が解決しようとする課題】
【０００９】
解決しようとする問題点は、複雑な曲面を形成する睫毛に対して簡易且つ正確にマスカラ等を塗布できるように複数の塗布部を有する塗布具を、安価に、しかも簡易且つ確実に製造することができない点である。
【課題を解決するための手段】
【００１０】
第１の特徴として、
軸部と、該軸部に保持される第１塗布部とから構成され、
該軸部は、先端部と軸本体部とからなるものであって、該先端部と軸本体部とは折曲自在となるヒンジ部を介して一体に形成され、
該軸本体部は、先端面より軸方向に沿い、軸本体部横断面方向に凹陥する切り欠き部を形成し、
該先端部の端面と、該軸本体部の切り欠き部内における該先端部の端面と対向する端面とによって保持部を形成し、
該第１塗布部を保持部内に保持するものであって、
該軸部の先端部において第２塗布部を一体に形成するものである。
【００１１】
そのため、塗布具の軸部において形成される空間内において第１塗布部を保持し、軸本体部とともに軸部をなす先端部には第２塗布部が一体に形成されているものである。その結果、複雑な曲面を形成する睫毛に対しては第１塗布部が対応し、また該第１塗布部では対応できないようなマスカラ等の部分的な塗布には第２塗布部により対応することによって、複雑な曲面をなす睫毛に対して簡易且つ正確にマスカラ等を塗布することができるとともに、部品点数を削減して作業効率を向上させて製造コストを削減しつつ、簡易且つ確実に製造することができるものとなる。
【００１２】
また、第２塗布部を一体に形成される軸部の先端部は、該軸部をなす軸本体部とヒンジを介して一体に形成されているものである。その結果、該先端部に対して引張力が加わっても、第１塗布部は軸本体部の保持孔内において芯軸の後端が溶着又はカシメ等の固定手段により強固に固定されており、更に第２塗布部を形成する先端部は、前記第１塗布部の芯軸に対してカシメ等の固定手段により固定されるとともにヒンジによって軸本体部と一体に形成されているので、第１塗布部及び第２塗布部は決して脱落して周囲を汚損することなく、また容器本体内に詰まってしまうことがないものである。
【００１３】
第１の特徴を踏まえて、第２の特徴として、
上記軸部の先端部において一体に形成する第２塗布部を、複数の櫛歯からなる櫛、複数の突起からなるブラシ、又は静電植毛処理による植毛部としてなるものである。
【００１４】
そのため、特に睫毛に対して部分的にマスカラ等を塗布するにあたり櫛、ブラシ、又は植毛部である第２塗布部を使用することで、必要に応じて部分的にマスカラ等を塗布することができるものとなる。
【発明の効果】
【００１５】
本願発明は、軸部を構成し、互いにヒンジによって一体形成される先端部と軸本体部とにおいて、第１塗布部を軸本体部にカシメ又は溶着により強固に保持するとともに、該先端部において、例えば櫛又はブラシからなる第２塗布部を形成することによって、複雑な曲面を形成する睫毛に対してマスカラ等を簡易且つ正確に塗布できるとともに、部品点数を削減して作業効率を向上させて製造コストを削減しつつ、簡易且つ確実に製造することができる優れた効果を有するものである。
【図面の簡単な説明】
【００１６】
【図１】図１は、本願発明の実施例１である塗布具を具える塗布容器の拡大断面図である。
【図２】図２（イ）は、本願発明の実施例１である塗布具を具える塗布容器を構成し、本願発明の実施例１である塗布具を保持するキャップの拡大側面図、（ロ）は先端部の拡大正面図、及び（ハ）は、その断面図である。
【図３】図３（イ）は、本願発明の実施例１である塗布具を構成する軸部の側面図と先端部の正面図、（ロ）は、本願発明の実施例１である塗布具を構成する軸部の断面図、（ハ）は本願発明の実施例１である塗布具を構成する軸部の底面図と先端部の正面図である。
【図４】図４は、本願発明の実施例１である塗布具を構成する第１塗布部の側面図と底面図である。
【図５】図５（イ）は、本願発明の実施例１である塗布具の側面図、（ロ）は、本願発明の実施例１である塗布具の底面図、（ハ）は、本願発明の実施例１である塗布具の断面図である。
【図６】図６（イ）は、本願発明の実施例２である塗布具を構成する軸部の側面図と先端部の正面図、（ロ）は、本願発明の実施例２である塗布具を構成する軸部の断面図、（ハ）は本願発明の実施例２である塗布具を構成する軸部の底面図と先端部の正面図である。
【図７】図７は、本願発明の実施例２である塗布具を構成する第１塗布部の側面図と底面図である。
【図８】図８（イ）は、本願発明の実施例２である塗布具の側面図、（ロ）は、本願発明の実施例２である塗布具の底面図、（ハ）は、本願発明の実施例２である塗布具の断面図である。
【図９】図９（イ）は、本願発明の実施例３である塗布具を構成する軸部の側面図と先端部の正面図、（ロ）は、本願発明の実施例３である塗布具を構成する軸部の断面図、（ハ）は本願発明の実施例３である塗布具を構成する軸部の底面図と先端部の正面図である。
【図１０】図１０は、本願発明の実施例３である塗布具を構成する第１塗布部の側面図と底面図である。
【図１１】図１１（イ）は、本願発明の実施例３である塗布具の側面図、（ロ）は、本願発明の実施例３である塗布具の底面図、（ハ）は、本願発明の実施例３である塗布具の断面図である。
【図１２】図１２（イ）は、本願発明の実施例４である塗布具を構成する軸部の側面図と先端部の正面図、（ロ）は、本願発明の実施例４である塗布具を構成する軸部の断面図、（ハ）は本願発明の実施例４である塗布具を構成する軸部の底面図と先端部の正面図である。
【図１３】図１３は、本願発明の実施例４である塗布具を構成する第１塗布部の側面図と底面図である。
【図１４】図１４は、本願発明の実施例４である塗布具の側面図、（ロ）は、本願発明の実施例４である塗布具の底面図、（ハ）は、本願発明の実施例４である塗布具の断面図である。
【発明を実施するための形態】
【００１７】
複雑な曲面を形成する睫毛に対してマスカラ等を簡易且つ正確に塗布できるように複数の塗布部を有する塗布具を安価に、しかも簡易且つ確実に製造できるように、ヒンジを介して一体となる先端部と軸本体部とにおいて、軸本体部において第１塗布部を保持するとともに、該先端部において、例えば櫛又はブラシである第２塗布部を一体に形成することで実現した。
【実施例１】
【００１８】
図１において示すのは、本願発明の実施例１である塗布具を具える塗布容器１である。そして、該塗布容器１は、その内部にマスカラや睫毛美容液（以下、「マスカラ等」という。）３を貯留し、その開口部４には後述する塗布具１０表面に密着することで、その表面に過剰に付着したマスカラ等３を拭い去るシゴキ５を内装するとともに、その外周面には雄ネジ部６を螺設してなる塗布容器本体２と、その開口内周面８において前記塗布容器本体２の開口部４の外周面に螺設する雄ネジ部６と螺合して該開口部４を開閉自在としてなる雌ネジ部９を螺設し、後述する本願発明の実施例１である塗布具１０の軸部１１後端に形成される径大化された根元部１３ｂを嵌合させて一体に固持してなるキャップ７とからなるものである（以下の実施例２〜４において共通するものである。）。
【００１９】
そして、図２に示すようにキャップ７に固持される本願発明の実施例１である塗布具１０は、軸部１１と、該軸部１１に保持される第１塗布部のブラシ１６とから構成されている。
【００２０】
まず、該軸部１１は、先端部１２と、後端において径大化された根元部１３ｂを形成してなる軸本体部１３とからなるものであって、該先端部１２と軸本体部１３とは折曲自在となるヒンジ１４を介して一体に形成されているものである。
ここで、該先端部１２の端面は、開口を有する保持スリット１２ａを配設しており、該軸本体部１３は、先端面より軸方向に沿って、軸本体部横断面方向に凹陥する切り欠き部１３ａを形成し、該切り欠き部１３ａ内の該先端部１２の端面と対向する端面において保持孔１３ｃを穿設してなるものである。
そして、先端部１２の端面と、該軸本体部１３の切り欠き部１３ａ内の端面とによって空間である保持部１５を形成するものである。
【００２１】
次に、該第１塗布部のブラシ１６は、芯軸１７と、該芯軸１７を中心にして螺旋放射状に繊維を配置する柱状のブラシ部１８とからなるものであり、該第１塗布部のブラシ１６の芯軸１７の先端１７ａと後端１７ｂを、保持部１５を形成する切り欠き部１３ａの端面の保持孔１３ｃへ後端１７ｂを挿嵌するとともにカシメ又は溶着により強固に固定した後、先端部１２の端面の保持スリット１２ａへ先端１７ａを嵌合させてなるものである。
ここで、先端部１２は、軸本体部１３とヒンジ１４を介して一体となり、しかも軸部１１の軸本体部１３に形成される切り欠き部１３ａとによって形成される保持部１５内において保持される第１塗布部のブラシ１６の芯軸１７の先端１７ａを保持スリット１２ａと嵌合させ、先端部１２の一部を変形させてカシメ部１２ｂを形成するものである。
従って、第１塗布部のブラシ１６及び第２塗布部の櫛１９は各々強固に保持することができるものである。
さらに、該第１塗布部であるブラシ１６は、次のようにして製造されるものである。すなわち、折曲した金属線間に繊維を挟持するとともに、該金属線を巻回して芯軸１７を形成するとともに、該芯軸１７を中心として繊維を螺旋放射状に配置して円柱状とするとともに、芯軸１７に沿ってその一部を刈り込み断面略半円状の柱状のブラシ部１８としてなるものである。その結果、前記軸部１１において形成される保持部１５内に第１塗布部のブラシ１６を保持させるにあたっては、第１塗布部であるブラシ１６の刈り込んだ面を保持部１５の底面方向に位置させることにより、第１塗布部のブラシ１６を簡易且つ正確に保持部１５内に保持させることができるものとなる（図４参照）。
【００２２】
その上で、上記軸部１１の先端部１２において平板状の櫛歯１９ａを並設してなる第２塗布部の櫛１９を一体に形成してなるものである（図５参照）。
【００２３】
本願発明の実施例１である塗布具１０は以上の構成を具えるので、塗布容器本体２内に貯留するマスカラ等３の塗布は次のようにしてなるものである。
まず、マスカラ等３の塗布するために、キャップ７と塗布容器本体２との螺合を解くとともに引張して、軸部１１及び該軸部１１に保持される第一塗布部であるブラシ１６はシゴキ５を通過して外部に取り出されるものである。
【００２４】
そして、該軸部１１をなす先端部１２と軸本体部１３の切り欠き部１３ａとで形成される保持部１５内に保持される断面略半円状である柱状の第１塗布部であるブラシ１６を睫毛全体に沿って長手方向に密着させつつ摺動させることで、第１塗布部であるブラシ１６に保持されるマスカラ等３を塗布することができるものである。
【００２５】
さらに、修正等のために睫毛に対して部分的にマスカラ等３を塗布する際には、軸本体部１３とともに軸部１１をなす先端部１２に一体に形成されている平板状の櫛歯１９ａを並設してなる第２塗布部である櫛１９を睫毛の必要部分に密着させつつ梳かすことで、第２塗布部である櫛１９に保持されるマスカラ等３を必要に応じて部分的に塗布することができるものである。
【実施例２】
【００２６】
図８において示すのは、実施例１の塗布具１０と同様に、塗布容器１を塗布容器本体２とともに構成するキャップ７内に固持される本願発明の実施例２の塗布具１０ａである。
そして、本願発明の実施例２の塗布具１０ａは、実施例１の塗布具１０と同様に、軸部１１と、該軸部１１に保持される第１塗布部であるブラシ１６’とから構成されている。
【００２７】
まず、該軸部１１は、先端部１２と、後端において径大化された根元部１３ｂを形成してなる軸本体部１３とからなるものであって、該先端部１２と軸本体部１３とは折曲自在となるヒンジ１４を介して一体に形成されるものである。
ここで、該先端部１２の端面は、開口を有する保持スリット１２ａを配設しており、該軸本体部１３は、先端面より軸方向に沿って、軸本体部横断面方向に凹陥する切り欠き部１３ａを形成し、該切り欠き部１３ａ内の該先端部１２の端面と対向する端面において保持孔１３ｃを穿設してなるものである。
そして、先端部１２の端面と、該軸本体部１３の切り欠き部１３ａ内の端面とによって空間である保持部１５を形成するものである。
【００２８】
次に、該第１塗布部のブラシ１６’は、芯軸１７と、該芯軸１７を中心にして螺旋放射状に繊維を配置する円柱状のブラシ部１８’とからなるものであり、該第１塗布部のブラシ１６’の芯軸１７の先端１７ａと後端１７ｂを、保持部１５を形成する切り欠き部１３ａの端面の保持孔１３ｃへ後端１７ｂを挿嵌するとともにカシメ又は溶着により強固に固定した後、先端部１２の端面の保持スリット１２ａへ先端１７ａを嵌合させてなるものである。
ここで、先端部１２は、軸本体部１３とヒンジ１４を介して一体となり、しかも軸部１１の軸本体部１３に形成される切り欠き部１３ａとによって形成される保持部１５内において保持される第１塗布部のブラシ１６’の芯軸１７の先端１７ａを保持スリット１２ａと嵌合させ、先端部１２の一部を変形させてカシメ部１２ｂを形成する。
従って、第１塗布部のブラシ１６’及び第２塗布部のブラシ２０を各々強固に保持することができるものである。
さらに、該第１塗布部であるブラシ１６’は、次のようにして製造されるものである。すなわち、折曲した金属線間に繊維を挟持するとともに、該金属線を巻回して芯軸１７を形成するとともに、該芯軸１７を中心として繊維を螺旋放射状に配置する円柱状のブラシ部１８’とするものである。その結果、前記軸部１１において形成される保持部１５内に第１塗布部のブラシ１６’を保持させるにあたっては、第１塗布部であるブラシ１６’の装着方向に指定がなくなり、より迅速に保持部１５内への保持作業を進めることができるものとなる。
【００２９】
その上で、上記軸部１１の先端部１２において先端を鋭した円錐状の複数の突起２０ａからなる第２塗布部であるブラシ２０を一体に形成してなるものである（図８参照）。
【００３０】
本願発明の実施例２である塗布具１０ａは以上の構成を具えるので、塗布容器本体２内に貯留するマスカラ等３の塗布は次のようにしてなるものである。
【００３１】
まず、該軸部１１をなす先端部１２と軸本体部１３の切り欠き部１３ａとで形成される保持部１５内に保持される第１塗布部の円柱状のブラシ１６’を睫毛全体に沿って長手方向に密着させつつ摺動させることで、第１塗布部であるブラシ１６’に保持されるマスカラ等３を塗布することができるものである。
【００３２】
さらに、修正等のために睫毛に対して部分的にマスカラ等３を塗布する際には、軸本体部１３とともに軸部１１をなす先端部１２に一体に形成されている先端を鋭した円錐状の複数の突起２０ａからなる第２塗布部であるブラシ２０を睫毛の必要部分に密着させつつ梳かすことで、第２塗布部であるブラシ２０に保持されるマスカラ等３を必要に応じて部分的に塗布することができるものとなる。
【実施例３】
【００３３】
図１１において示すのは、実施例１の塗布具１０と同様に、塗布容器１を塗布容器本体２とともに構成するキャップ７内に固持される本願発明の実施例３である塗布具１０ｂである。そして、該塗布具１０ｂは、実施例１及び２と同様に、軸部１１と、該軸部１１に保持される第１塗布部のブラシ１６とから構成されている。
【００３４】
まず、該軸部１１は、先端部１２と、後端において径大化された根元部１３ｂを形成してなる軸本体部１３とからなるものであって、該先端部１２と軸本体部１３とは折曲自在となるヒンジ１４を介して一体に形成されているものである。
ここで、該先端部１２の端面は、開口を有する保持スリット１２ａを配設しており、該軸本体部１３は、先端面より軸方向に沿って、軸本体部横断面方向に凹陥する切り欠き部１３ａを形成し、該切り欠き部１３ａ内の該先端部１２の端面と対向する端面において保持孔１３ｃを穿設してなるものである。
そして、先端部１２の端面と、該軸本体部１３の切り欠き部１３ａ内の端面とによって空間である保持部１５を形成するものである。
【００３５】
次に、該第１塗布部のブラシ１６は、芯軸１７と、該芯軸１７を中心にして螺旋放射状に繊維を配置する柱状のブラシ部１８とからなるものであり、該第１塗布部のブラシ１６の芯軸１７の先端１７ａと後端１７ｂを、保持部１５を形成する切り欠き部１３ａの端面の保持孔１３ｃへ後端１７ｂを挿嵌するとともにカシメ又は溶着により強固に固定した後、先端部１２の端面の保持スリット１２ａへ先端１７ａを嵌合させてなるものである。
ここで、先端部１２は、軸本体部１３とヒンジ１４を介して一体となり、しかも軸部１１の軸本体部１３に形成される切り欠き部１３ａとによって形成される保持部１５内において保持される第１塗布部のブラシ１６の芯軸１７の先端１７ａを保持スリット１２ａと嵌合させ、先端部１２の一部を変形させてカシメ部１２ｂを形成する。
従って、第１塗布部のブラシ１６及び後述の第２塗布部の植毛部２２を各々強固に保持することができるものである。
さらに、該第１塗布部であるブラシ１６は、次のようにして製造されるものである。すなわち、折曲した金属線間に繊維を挟持するとともに、該金属線を巻回して芯軸１７を形成するとともに、該芯軸１７を中心として繊維を螺旋放射状に配置して円柱状とするとともに、芯軸１７に沿ってその一部を刈り込み断面略半円状の柱状のブラシ部１８としてなるものである。その結果、前記軸部１１において形成される保持部１５内に第１塗布部のブラシ１６を保持させるにあたっては、第１塗布部であるブラシ１６の刈り込んだ面を保持部１５の底面方向に位置させることにより、第１塗布部のブラシ１６を簡易且つ正確に保持部１５内に保持させることができるものとなる（図１０参照）。
【００３６】
その上で、上記軸部１１の先端部１２において静電植毛処理による第２塗布部である植毛部２２を一体に形成してなるものである（図１１参照）。
【００３７】
また、軸部１１をなし、先端部１２とともに保持部１５を形成することとなる軸本体部１３の切り欠き部１３ａの背面には、短い間隔で複数の溝部２１ａを並設してなる第３塗布部である櫛２１が形成されているものである。
【００３８】
本願発明の実施例３である塗布具１０ｂは以上の構成を具えるので、塗布容器本体２内に貯留するマスカラ等３の塗布は次のようにしてなるものである。
【００３９】
まず、該軸部１１をなす先端部１２と軸本体部１３の切り欠き部１３ａとで形成される保持部１５内に保持される断面略半円状である柱状の第１塗布部であるブラシ１６を睫毛全体に沿って長手方向に密着させつつ摺動させることで、第１塗布部であるブラシ１６に保持されるマスカラ等３を塗布することができるものである。
【００４０】
さらに、修正等のために睫毛に対して部分的にマスカラ等３を塗布する際には、軸本体部１３とともに軸部１１をなす先端部１２に一体に形成されている第２塗布部である植毛部２２を睫毛の必要部分に密着させることで、第２塗布部である植毛部２２に保持されるマスカラ等３を必要に応じて部分的に塗布することができるものである。
【００４１】
また、軸部１１をなし、先端部１２とともに保持部１５を形成する軸本体部１３の切り欠き部１３ａの背面において形成される、複数の溝部２１ａを並設してなる第３塗布部の櫛２１によって睫毛を梳かすことでマスカラ等３を厚く塗布することができるものである。
【実施例４】
【００４２】
図１４において示すのは、実施例１の塗布具と同様に、塗布容器１を塗布容器本体２とともに構成するキャップ７内に固持される本願発明の実施例４の塗布具１０ｃである。
そして、本願発明の実施例４の塗布具１０ｃは、実施例１〜３の塗布具１０、１０ａ、１０ｂと同様に、軸部１１と、該軸部１１に保持される第１塗布部であるブラシ１６’とから構成されている。
【００４３】
まず、該軸部１１は、先端部１２と、後端において径大化された根元部１３ｂを形成してなる軸本体部１３とからなるものであって、該先端部１２と軸本体部１３とは折曲自在となるヒンジ１４を介して一体に形成されるものである。
ここで、該先端部１２の端面は、開口を有する保持スリット１２ａを配設しており、該軸本体部１３は、先端面より軸方向に沿って、軸本体部横断面方向に凹陥する切り欠き部１３ａを形成し、該切り欠き部１３ａ内の該先端部１２の端面と対向する端面において保持孔１３ｃを穿設してなるものである。
そして、先端部１２の端面と、該軸本体部１３の切り欠き部１３ａ内の端面とによって空間である保持部１５を形成するものである。
【００４４】
次に、該第１塗布部のブラシ１６’は、芯軸１７と、該芯軸１７を中心にして螺旋放射状に繊維を配置する円柱状のブラシ部１８’とからなるものであり、該第１塗布部のブラシ１６’の芯軸１７の先端１７ａと後端１７ｂを、保持部１５を形成する切り欠き部１３ａの端面の保持孔１３ｃへ後端を１７ｂを挿嵌するとともにカシメ又は溶着により強固に固定した後、先端部１２の端面の保持スリット１２ａへ先端１７ａを嵌合させてなるものである。
ここで、先端部１２は、軸本体部１３とヒンジ１４を介して一体となり、しかも軸部１１の軸本体部１３に形成される切り欠き部１３ａとによって形成される保持部１５内において保持される第１塗布部のブラシ１６’の芯軸１７の先端１７ａを保持スリット１２ａと嵌合させ、先端部１２の一部を変形させてカシメ部１２ｂを形成する。
従って、第１塗布部のブラシ１６’及び第２塗布部の後述のブラシ２０を各々強固に保持することができるものである。
さらに、該第１塗布部であるブラシ１６’は、次のようにして製造されるものである。すなわち、折曲した金属線間に繊維を挟持するとともに、該金属線を巻回して芯軸１７を形成するとともに、該芯軸１７を中心として繊維を螺旋放射状に配置する円柱状のブラシ部１８’とするものである。その結果、前記軸部１１において形成される保持部１５内に第１塗布部のブラシ１６’を保持させるにあたっては、第１塗布部であるブラシ１６’の装着方向に指定がなくなり、より迅速に保持部１５内への保持作業を進めることができるものとなる。
【００４５】
その上で、上記軸部１１の先端部１２において先端を鋭した円錐状の複数の突起２０ａを列状に配置する第２塗布部であるブラシ２０を一体に形成してなるものである（図１４参照）。
【００４６】
また、軸部１１をなし、先端部１２とともに保持部１５を形成することとなる軸本体部１３の切り欠き部１３ａの背面には、短い間隔で複数の櫛歯２１ａを並設してなる第３塗布部である櫛２１が形成されているものである。
【００４７】
本願発明の実施例４である塗布具１０ｃは以上の構成を具えるので、塗布容器本体２内に貯留するマスカラ等３の塗布は次のようにしてなるものである。
【００４８】
まず、該軸部１１をなす先端部１２と軸本体部１３の切り欠き部１３ａとで形成される保持部１５内に保持される第１塗布部の円柱状のブラシ１６’を睫毛全体に沿って長手方向に密着させつつ摺動させることで、第１塗布部であるブラシ１６’に保持されるマスカラ等３を塗布することができるものである。
【００４９】
さらに、修正等のために睫毛に対して部分的にマスカラ等３を塗布する際には、軸本体部１３とともに軸部１１をなす先端部１２に一体に形成されている先端を鋭した円錐状の複数の突起２０ａからなる第２塗布部であるブラシ２０を睫毛の必要部分に密着させつつ梳かすことで、第２塗布部であるブラシ２０に保持されるマスカラ等３を必要に応じて部分的に塗布することができるものとなる。
【００５０】
また、軸部１１をなし、先端部１２とともに保持部１５を形成する軸本体部１３の切り欠き部１３ａの背面において形成される、複数の櫛歯２１ａを並設してなる第３塗布部の櫛２１によって睫毛を梳かすことでマスカラ等３を厚く塗布することができるものである。
【符号の説明】
【００５１】
１    塗布容器
２    塗布容器本体
３    マスカラ等
４    開口部
５    シゴキ
６    雄ネジ部
７    キャップ
８    開口内周面
９    雌ネジ部
１０、１０ａ、１０ｂ、１０ｃ    塗布具
１１    軸部
１２    先端部
１２ａ    保持スリット
１２ｂ    カシメ部
１３    軸本体部
１３ａ    切り欠き部
１３ｂ    根元部
１３ｃ    保持孔
１４    ヒンジ
１５    保持部
１６、１６’    （第１塗布部である）ブラシ
１７    芯軸
１７ａ  先端
１７ｂ  後端
１８、１８’    ブラシ部
１９    （第２塗布部である）櫛
１９ａ    櫛歯
２０    （第２塗布部である）ブラシ
２０ａ    突起
２１    （第３塗布部である）櫛
２１ａ    櫛歯
２２    （第２塗布部である）植毛部
【図１】
2014083105.tif 000003
【図２】
2014083105.tif 000004
【図３】
2014083105.tif 000005
【図４】
2014083105.tif 000006
【図５】
2014083105.tif 000007
【図６】
2014083105.tif 000008
【図７】
2014083105.tif 000009
【図８】
2014083105.tif 000010
【図９】
2014083105.tif 000011
【図１０】
2014083105.tif 000012
【図１１】
2014083105.tif 000013
【図１２】
2014083105.tif 000014
【図１３】
2014083105.tif 000015
【図１４】
2014083105.tif 000016